(57)【特許請求の範囲】
【請求項１】
遊技機の遊技盤に固定され、前記遊技盤に沿って流下する遊技球を受け入れる入賞口を備えた遊技機用可変入賞装置であって、
前記遊技盤の盤面側に固定される台板を備えた筐体と、
前記遊技盤の盤面と直交する方向を前後方向としたときに前記台板の前面側において前記盤面と交差する回動軸線を中心として回動可能に支持され、前記入賞口における遊技球の受け入れ状態を所定の抑制状態とする抑制位置と、前記抑制状態のときよりも遊技球が進入し易い状態とする開放位置とで変位可能な回動片と、
前記筐体と一体的に又は別体として設けられ、前記入賞口で受け入れた遊技球を後方に誘導する誘導路と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、且つ前記誘導路の下方側に配置されたソレノイドと、
前記回動片と接触可能に構成された作用部を備えると共に、前記台板の後方側において前記プランジャの動作に応じて変位するように配され、前記プランジャが前記突出位置にあるときに前記回動片を前記抑制位置に変位させ、前記プランジャが前記没入位置にあるときに前記回動片を前記開放位置に変位させる伝達部材と、を備え、
前記ソレノイドは、前記プランジャが軸状に構成されると共に当該プランジャの軸方向が前記前後方向に沿うように配置され、
前記プランジャは、前記没入位置よりも前記突出位置のほうが後方位置となるように前記軸方向に進退する構成をなし、
前記伝達部材は、前記プランジャ又は当該プランジャと一体的に変位する部材の当接を受けて回動するように構成されていることを特徴とする遊技機用可変入賞装置。
【請求項２】
２つの前記回動片が、前記誘導路の両側方に一対設けられており、
前記伝達部材は、それら一対の回動片の各々に対応するように前記誘導路の両側方にそれぞれ配置される一対の作用片と、この一対の作用片を連結する連結部とを備え、前記一対の作用片と前記連結部とを一体的に変位するように構成しており、
前記連結部は、前記誘導路の下方側で前記プランジャの駆動動作を受けるように配され、この連結部の変位に応じて前記一対の作用片が動作するように構成されていることを特徴とする請求項１に記載の遊技機用可変入賞装置。
【請求項３】
前記伝達部材は、所定の回動軸を中心として回動し得るように保持されており、
前記伝達部材の前記回動軸は、前記誘導路の底部よりも上方において上下方向及び前後方向と直交する左右方向と略平行となるように位置していることを特徴とする請求項１又は請求項２に記載の遊技機用可変入賞装置。
【請求項４】
前記ソレノイドは、その一部が前記台板の前面よりも前方側において前記回動片の下方に配置されていることを特徴とする請求項１から請求項３のいずれか一項に記載の遊技機用可変入賞装置。
【請求項５】
前記伝達部材は、所定の第１回動軸を中心として回動し得るように構成されると共に、前記第１回動軸の位置が前後方向に変化可能となるように前記筐体に直接又は他部材を介して間接的に保持され、
更に、前記伝達部材の上方において前記伝達部材の第１回動軸と略平行の第２回動軸を中心として、前記伝達部材と当接することで当該伝達部材が前記回動片を開放位置に向けて変位させる所定方向に回動することを規制するロック位置と、前記伝達部材が前記所定方向に回動することを許容する解除位置との間で回動可能に構成されたロック部材が設けられており、
前記プランジャが前記突出位置から前記没入位置に変位する際には、当該プランジャと連動して前記第１回動軸が前方側に移動するように前記伝達部材が前方側に変位することにより当該伝達部材の押圧を受けて前記ロック部材が前記解除位置に切り替わり、且つ当該伝達部材が、前方側に変位した前記第１回動軸を中心として前記所定方向に回動することで前記回動片が前記開放位置に変化するようになっており、
前記プランジャが前記突出位置にあり且つ前記回動片が前記抑制位置にある状態で前記回動片を前記開放位置に変化させようとする外力が加えられた場合には、当該回動片と連動する前記伝達部材の回動が前記ロック部材によって阻止されることにより、前記回動片が前記抑制位置に変化することが規制されることを特徴とする請求項１から請求項４のいずれか一項に記載の遊技機用可変入賞装置。
【請求項６】
請求項１から請求項５のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
近年の遊技機では、遊技者の興趣を高めることを目的として、遊技領域内の中央部付近に配置される液晶表示装置や役物（いわゆるセンター役物）が大型化する傾向にあり、入賞装置等の他の部品は、機能を充実させつつ、よりコンパクトに構成することが求められている。特に、近年では、遊技領域内だけでなく奥行き方向のコンパクト化も重要となっている。
【０００３】
このような課題に関する技術としては、例えば、特許文献１のようなものが提供されている。例えば、特許文献１では、駆動部を遊技機の盤面の手前側に配置した構成が開示されている。また、特許文献２及び特許文献３では、駆動部が遊技盤の厚さ内に配置された構成が開示されている。これらの構成によれば、駆動部を少なくとも遊技盤の後面よりも前側に配置することができるため、奥行き方向に嵩張らない構成となり、遊技盤の後方側において部品同士が干渉せずに済む。
【先行技術文献】
【特許文献】
【０００４】
【特許文献１】特許第４０６２５５３号公報
【特許文献２】特許第３２４３４９６号公報
【特許文献３】特開平１１−７６５２７号公報
【発明の概要】
【発明が解決しようとする課題】
【０００５】
しかしながら、特許文献１の構成のように、遊技盤の盤面の前方側に駆動部全体を配置すると盤面前方側が大型化し、配置の制約が大きい遊技領域においてスペースを割かざるを得ない。特に特許文献１のようにソレノイドを縦置きにすると遊技領域内において上下方向の嵩張りが大きくなってしまう。また、上記特許文献２及び３の構成は、駆動部が遊技機の盤面の厚さ内に配置されているため、奥行き方向のコンパクト化を図ることができるが、装置構成が複雑化するという問題がある。
【０００６】
本発明は、上述した課題を解決するためになされたものであり、遊技盤の盤面と直交する方向（前後方向）の部品サイズを小さくすることができ、特に駆動源及び伝達部材を効率的に配置して装置全体の小型化を実現可能な遊技機用可変入賞装置及び遊技機を提供することを目的とする。
【課題を解決するための手段】
【０００７】
本発明は、遊技機の遊技盤に固定され、前記遊技盤に沿って流下する遊技球を受け入れる入賞口を備えた遊技機用可変入賞装置であって、
前記遊技盤の盤面側に固定される台板を備えた筐体と、
前記遊技盤の盤面と直交する方向を前後方向としたときに前記台板の前面側において前記盤面と交差する回動軸線を中心として回動可能に支持され、前記入賞口における遊技球の受け入れ状態を所定の抑制状態とする抑制位置と、前記抑制状態のときよりも遊技球が進入し易い状態とする開放位置とで変位可能な回動片と、
前記筐体と一体的に又は別体として設けられ、前記入賞口で受け入れた遊技球を後方に誘導する誘導路と、
通電可能に構成されたコイル部と、このコイル部の通電状態に応じて前記コイル部内に引き込まれた没入位置とこの没入位置のときよりも前記コイル部から突出する突出位置との間で直線的に移動するプランジャとを備え、且つ前記誘導路の下方側に配置されたソレノイドと、
前記回動片と接触可能に構成された作用部を備えると共に、前記台板の後方側において前記プランジャの動作に応じて変位するように配され、前記プランジャが前記突出位置にあるときに前記回動片を前記抑制位置に変位させ、前記プランジャが前記没入位置にあるときに前記回動片を前記開放位置に変位させる伝達部材と、を備え、
前記ソレノイドは、前記プランジャが軸状に構成されると共に当該プランジャの軸方向が前記前後方向に沿うように配置され、
前記プランジャは、前記没入位置よりも前記突出位置のほうが後方位置となるように前記軸方向に進退する構成をなし、
前記伝達部材は、前記プランジャ又は当該プランジャと一体的に変位する部材の当接を受けて回動するように構成されていることを特徴とする。
【０００８】
本発明の遊技機は、
上記遊技機用可変入賞装置が遊技盤に固定されていることを特徴とする。
【発明の効果】
【０００９】
本発明の遊技機用可変入賞装置及び遊技機では、筐体と一体的に又は別体として誘導路が設けられており、この誘導路の下方側に、プランジャとコイル部を備えたソレノイドが配置されている。そして、このように配置されるソレノイドの駆動力が伝達部材によって回動片に伝達され、回動片が駆動されるようになっている。
この構成によれば、後方側に延びる誘導路の下方側の領域を利用してソレノイドを効率良く配置することができ、装置全体の小型化を図りやすくなる。特にソレノイドと誘導路を前後に重ねずに済むため、遊技盤の奥行き方向のコンパクト化を図る上で有利となる。また、ソレノイドが、誘導路の上ではなく誘導路の下に配置されているため、遊技球をより上方側の浅い位置で受けて円滑に後方側に導くことができる。これにより、進入した遊技球をより早期に検出することが可能となり、レスポンスの向上を図ることができる。また、遊技機内において遊技球を検出するための部品をそれほど下方側に嵩張らせる必要が無く、上下方向のコンパクト化も図りやすくなる。
【００１０】
また、本発明において、ソレノイドは、プランジャが軸状に構成されると共に当該プランジャの軸方向が前後方向に沿うように配置されている。そして、プランジャは、没入位置よりも突出位置のほうが後方位置となるように軸方向に進退する構成である。更に、伝達部材は、プランジャ又は当該プランジャと一体的に変位する部材の当接を受けて回動するように構成されている。
この構成によれば、プランジャの軸方向及び移動方向を誘導路の延出方向と対応させることができるため、誘導路の下方側においてより効率的にソレノイドを配置することができ、特に左右方向の嵩張りを抑え易くなる。更に、プランジャと別動作する中間部材（リンク等）を介さずにプランジャの動作を直接的に伝達部材に伝達することができるため、開閉動作をより俊敏に行うことができる。また、可動するプランジャや連結部が誘導路に対して、下側に隠れるように配置されるので、可動が遊技球に影響を与えることがない。
【００１１】
また、本発明において、２つの回動片が、誘導路の両側方に一対設けられていてもよい。そして、伝達部材において、それら一対の回動片の各々に対応するように誘導路の両側方にそれぞれ配置される一対の作用片と、この一対の作用片を連結する連結部とが設けられ、一対の作用片と連結部とが一体的に変位するように構成されていてもよい。更に、連結部は、誘導路の下方側でプランジャの駆動動作を受けるように配され、この連結部の変位に応じて一対の作用片が動作するように構成されていてもよい。
この構成では、一対の作用片を連結部で連結することにより一体的に構成することができ、部品点数を効果的に削減できる。特に、一対の作用片を誘導路の両側方に配置しているため、２つの回動片を同時に変位させ得る構成を、よりコンパクトに（特に上下方向の嵩張りを抑えてコンパクトに）実現することができる。また、一対の作用片を連結する連結部を、プランジャからの作用を受ける被作用部として機能させることができるため、一対の作用片をプランジャと連動させ得る構成を効率的に設けることができる。
【００１２】
また、本発明において、伝達部材は、所定の回動軸を中心として回動し得るように保持されていてもよい。そして、伝達部材の回動軸は、誘導路の底部よりも上方において上下方向及び前後方向と直交する左右方向と略平行となるように位置していてもよい。
この構成では、端部側（回動片側）が上下動可能な伝達部材を誘導路と共に効率的に配置することができる。特に、回動軸とソレノイドの間に誘導路の底部が配置される格好となるため、上下方向の嵩張りを抑えて伝達部材の端部側（回動片側）の可動域を確保し易くなる。
【００１３】
また、本発明において、ソレノイドは、その一部が台板の前面よりも前方側において回動片の下方に配置されていてもよい。
この構成によれば、誘導路の下側部分だけでなく、一対の回動片の下側部分をも有効に利用してソレノイドを配置することができるため、ソレノイドを遊技盤の厚みから後方側にはみ出ないように効率的に収めることが可能となり、遊技盤の奥行き方向のコンパクト化を図ることができる。また、ソレノイドを一対の回動片の下側領域と誘導路の下側領域とに跨らせる形で配置しているため、遊技領域内にソレノイドの配置スペースをそれほど大きく割く必要もない。
【００１４】
また、本発明において、伝達部材は、所定の第１回動軸を中心として回動し得るように構成されると共に、第１回動軸の位置が前後方向に変化可能となるように筐体に直接又は他部材を介して間接的に保持されていてもよい。また、伝達部材の上方において伝達部材の第１回動軸と略平行の第２回動軸を中心として、伝達部材と当接することで当該伝達部材が回動片を開放位置に向けて変位させる所定方向に回動することを規制するロック位置と、伝達部材が所定方向に回動することを許容する解除位置との間で回動可能に構成されたロック部材が設けられていてもよい。
この場合、プランジャが突出位置から没入位置に変位する際に、当該プランジャと連動して第１回動軸が前方側に移動するように伝達部材が前方側に変位することにより当該伝達部材の押圧を受けてロック部材が解除位置に切り替わり、且つ当該伝達部材が、前方側に変位した第１回動軸を中心として所定方向に回動することで回動片が開放位置に変化するように構成されることが望ましい。
更に、プランジャが突出位置にあり且つ回動片が抑制位置にある状態で回動片を開放位置に変化させようとする外力が加えられた場合に、当該回動片と連動する伝達部材の回動がロック部材によって阻止されることにより、回動片が抑制位置に変化することが規制される構成であることが望ましい。
この構成では、入賞抑制時（プランジャが突出位置にあり且つ回動片が抑制位置にある時）に、回動片に対して何らかの外力が加えられ、不正に開放操作されようとした場合に、ロック部材が作用して伝達部材の回動を規制するため、このようなときには回動片が開放位置に変化しなくなる。従って、回動片を不正に開放位置に変化させようとする不正開放行為を効果的に防ぐことができる。一方、正規の開放動作の際には、プランジャを動作させることで回動軸（第１回動軸）が前方側に移動するように伝達部材を前方側に変位させ、この変位時の押圧によってロック部材を解除位置に切り替えることができるため、回動片を確実に開放することができる。
【図面の簡単な説明】
【００１５】
【図１】図１は、本発明の第１実施形態に係る遊技機用可変入賞装置を用いた遊技機を例示する正面図である。
【図２】図２（Ａ）は、第１実施形態に係る遊技機用可変入賞装置を斜め前方側から見た斜視図であり、図２（Ｂ）は、その遊技機用可変入賞装置を斜め後方側から見た斜視図である。
【図３】図３は、図２の遊技機用可変入賞装置を斜め前方側から見た分解斜視図である。
【図４】図４は、図２の遊技機用可変入賞装置を斜め後方側から見た分解斜視図である。
【図５】図５（Ａ）は、図２の遊技機用可変入賞装置の正面図であり、図５（Ｂ）は、その背面図である。
【図６】図６（Ａ）は、図２の遊技機用可変入賞装置の平面図であり、図６（Ｂ）は、その底面図である。
【図７】図７（Ａ）は、図２の遊技機用可変入賞装置の左側面図であり、図７（Ｂ）は、その右側面図である。
【図８】図８（Ａ）は、回動片が開放位置にあるときの図２の遊技機用可変入賞装置を斜め前方側から見た状態を示す斜視図であり、図８（Ｂ）は、その遊技機用可変入賞装置を斜め後方側から見た状態を示す斜視図である。
【図９】図９（Ａ）は、図２の遊技機用可変入賞装置について、回動片が開放位置にあるときの状態を示す正面図であり、図９（Ｂ）は、その平面図である。
【図１０】図１０（Ａ）は、図５（Ａ）のＡ−Ａ断面を概略的に示す断面図であり、図１０（Ｂ）は、回動片が開放位置になったときのそのＡ−Ａ断面を概略的に示す断面図である。
【図１１】図１１（Ａ）は、図５（Ａ）のＢ−Ｂ断面を概略的に示す断面図であり、図１１（Ｂ）は、回動片が開放位置になったときのそのＢ−Ｂ断面を概略的に示す断面図である。
【図１２】図１２（Ａ）は、図５（Ａ）のＣ−Ｃ断面を概略的に示す断面図であり、図１２（Ｂ）は、回動片が開放位置になったときのそのＣ−Ｃ断面を概略的に示す断面図である。
【図１３】図１３（Ａ）は、回動片が抑制位置にあるときの図２の遊技機用可変入賞装置を斜め後方側から見た状態を示す一部破断斜視図であり、図１３（Ｂ）は、回動片が開放位置にあるときの状態を示す一部破断斜視図である。
【図１４】図１４（Ａ）は、回動片が抑制位置にあるときの図２の遊技機用可変入賞装置を図１３（Ａ）とは異なる角度から見た状態を示す一部破断斜視図であり、図１４（Ｂ）は、図１４（Ａ）から回動片が開放位置に変化した状態を示す一部破断斜視図である。
【図１５】図１５（Ａ）は、図１４（Ａ）の構成を側方から見た状態を示す一部破断図であり、図１５（Ｂ）は、図１４（Ｂ）の構成を側方から見た一部破断図である。
【図１６】図１６は、ソレノイド、伝達部材、回動片、及びロック部材の連係動作を側方から見た状態を示す説明図であり、図１６（Ａ）は、ソレノイドの非駆動時に回動片に対して不正開放動作がなされたときの様子を示す図であり、図１６（Ｂ）は、ソレノイドの非駆動時における駆動する直前の様子を示す図であり、図１６（Ｃ）は、ロック部材の変位直後の様子を示す図であり、図１６（Ｄ）は、伝達部材の変位後の様子を示す図である。
【図１７】図１７は、ソレノイド、伝達部材、回動片、及びロック部材の連係動作を斜め後方側から見た状態を示す説明図であり、図１７（Ａ）は、ソレノイドの非駆動時に回動片に対して不正開放動作がなされたときの様子を示す図であり、図１７（Ｂ）は、ソレノイドの非駆動時における駆動する直前の様子を示す図であり、図１７（Ｃ）は、ロック部材の変位直後の様子を示す図であり、図１７（Ｄ）は、伝達部材の変位後の様子を示す図である。
【図１８】図１８（Ａ）は、第２実施形態に係る遊技機用可変入賞装置を斜め前方側から見た斜視図であり、図１８（Ｂ）は、その遊技機用可変入賞装置を斜め後方側から見た斜視図である。
【図１９】図１９は、図１８の遊技機用可変入賞装置を斜め前方側から見た分解斜視図である。
【図２０】図２０は、図１８の遊技機用可変入賞装置を斜め後方側から見た分解斜視図である。
【図２１】図２１（Ａ）は、図１８の遊技機用可変入賞装置に関し、回動片が抑制状態のときの側面図であり、図２１（Ｂ）は、回動片が開放状態のときの側面図である。
【図２２】図２２（Ａ）は、図１８の遊技機用可変入賞装置に関し、回動片が開放状態のときの正面図であり、図２２（Ｂ）は、その背面図である。
【図２３】図２３（Ａ）は、図１８の遊技機用可変入賞装置について、回動片が抑制位置にあるときの状態を後側ベース部材を省略して示す背面図であり、図２３（Ｂ）は、その斜視図である。
【図２４】図２４（Ａ）は、図１８の遊技機用可変入賞装置について、回動片が抑制位置にあるときの状態を後側ベース部材及びソレノイドを省略して示す背面図であり、図２４（Ｂ）は、その一部を拡大して示す拡大図である。
【図２５】図２５（Ａ）は、図１８の遊技機用可変入賞装置について、回動片が抑制位置にあるときの状態を後側ベース部材及びソレノイドを省略して示す背面図であり、回動片が開放位置にあるときの状態を後側ベース部材及びソレノイドを省略して示す背面図である。
【図２６】図２６（Ａ）は、回動片が抑制位置にあるときの図２１（Ａ）におけるＪ−Ｊ位置での切断面を示す概略断面図であり、図２６（Ｂ）はそのときのＫ−Ｋ位置での切断面を示す概略断面図である。
【図２７】図２７（Ａ）は、回動片が開放位置にあるときの図２１（Ａ）におけるＪ−Ｊ位置での切断面を示す概略断面図であり、図２７（Ｂ）はそのときのＫ−Ｋ位置での切断面を示す概略断面図である。
【図２８】図２８（Ａ）は、回動片が抑制位置にあるときの図２２（Ａ）におけるＬ−Ｌ位置での切断面を示す概略断面図であり、図２８（Ｂ）は、回動片が開放位置にあるときの図２２（Ａ）におけるＬ−Ｌ位置での切断面を示す概略断面図である。
【図２９】図２９（Ａ）は、回動片が抑制位置にあるときの図２２（Ａ）におけるＭ−Ｍ位置での切断面を示す概略断面図であり、図２９（Ｂ）は、回動片が開放位置にあるときの図２２（Ａ）におけるＭ−Ｍ位置での切断面を示す概略断面図である。
【発明を実施するための形態】
【００１６】
[第１実施形態]
以下、本発明に係る遊技機用可変入賞装置１０及びそれを備えた遊技機１を具現化した第１実施形態について、図面を参照して説明する。なお、図１は、第１実施形態に係る遊技機用可変入賞装置１０を備えた遊技機１を例示する正面図であり、まず、図１を参照して遊技機１の構成を概説する。
【００１７】
（遊技機の構成）
図１に示す遊技機１は、いわゆるパチンコ機として構成されるものであり、木板（ベニヤ板）、アクリル板等によって構成される遊技盤２の盤面(遊技盤２の前面)２ａに沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、本発明に係る遊技機用可変入賞装置１０が配置されている。なお、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。
【００１８】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に固定されて用いられるものであり、その一部が遊技盤２の前方側から視認可能となるように露出した状態で配置されている。この入賞装置１０は、遊技盤２に沿って流下する遊技球を受け入れる入賞口２０を備えており、入賞口２０から進入する遊技球を内部に取り込んで後方側に流下させるように機能している。
【００１９】
本明細書において、「前後方向」とは、当該遊技機用可変入賞装置１０が取り付けられる遊技盤２の盤面２ａと直交する方向を意味し、遊技者側を前方側、遊技機奥側を後方側とする。なお、本実施形態では、回動片２１，２２の回動軸線Ａ１，Ａ２（図６（Ａ）等）と平行な方向が「前後方向」と一致している。
【００２０】
また、「上下方向」とは、遊技領域を遊技球が流下する方向（鉛直方向）を意味し、鉛直上方側を上方、鉛直下方側を下方とする。また、「左右方向」とは、上記「前後方向」及び「上下方向」と直交する方向を意味する。本実施形態では、一対の回動片２１，２２の並び方向（対向方向）が「左右方向」と一致しており、その並び方向及び回動軸線Ａ１、Ａ２の方向と直交する方向が「上下方向」と一致している。
【００２１】
次に、入賞装置１０を構成する各部品について詳述する。
図２〜図４等に示す入賞装置１０は、いわゆる電動チューリップとして構成されており、主として、筐体８０、回動片２１，２２、伝達部材３０、ソレノイド５０、ロック部材１２０，基板１３０などを備えている。
【００２２】
筐体８０は、図７、図１０等に示すように遊技盤２に固定されるものであり、図２〜図４に示すように、入賞装置２０の外殻をなしている。この筐体８０は、前側ベース部材８１と、遊技盤固定部材８２と、後側ベース部材８３とによって構成されており、遊技盤２に固定される遊技盤固定部材８２に対して前側から前側ベース部材８１が組み付けられ、遊技盤固定部材８２の後側に後側ベース部材８３が組み付けられるようになっている。なお、図６、図７では、遊技盤２の配置を二点鎖線にて概念的に示しており、遊技盤の盤面については符号２ａで示し、後面については符号２ｂで示している。
【００２３】
図３、図４に示すように、前側ベース部材８１は、遊技盤２の盤面２ａと略平行に配置される前板８１ａと、回動片２１，２２の下方に配置される底部８１ｂと、誘導路９２の一部をなす前側誘導路９２ａとを有している。そして、底部８１ｂから上方に前板８１ａが立ち上がる形態をなしており、この前板８１ａから後方側に延びる形態で前方側誘導路９２ａが形成されている。
【００２４】
この前側ベース部材８１は、前板８１ａと、前方側誘導路９２ａと、一対の回動片２１，２２とによって遊技球を受ける箱状の受け部を構成しており、後述する回動片２１，２２の間に進入した遊技球を前方側誘導路９２ａで受け、この遊技球を、遊技盤固定部材８２の台板９０に形成された開口９０ａを介して前方側誘導路９２ａの後方に配置される後方側誘導路９２ｂ（後述）に誘導し得る構成をなしている。また、図４に示すように、前側ベース部材８１には、一対の穴部８２ａ，８２ｂが形成されており、この穴部８２ａ，８２ｂによって軸部材２５ａ，２５ｂの前端側を保持するようになっている（図１２も参照）。
【００２５】
遊技盤固定部材８２は、遊技盤２の盤面２ａに沿って配置される台板９０を備えている。この台板９０には、前方側に突出する閉塞部９７と、台板９０を厚さ方向に貫通する開口９０ａと、開口９０ａの左右に対をなして形成された穴部９１ａ，９１ｂとが形成されている。穴部９１ａ，９１ｂはそれぞれが前側ベース部材８１の穴部８２ａ，８２ｂの後方に位置しており、それぞれ軸部材２５ａ，２５ｂの後端側を保持するようになっている（図１２も参照）。これにより、前板８１ａから後方側に延びる形態で軸部材２５ａ，２５ｂがそれぞれ前後方向に配され、これら軸部材２５ａ，２５ｂを後述する一対の回動片２１，２２にそれぞれ挿通することで、一対の回動片２１，２２が筐体８０に回動可能に保持される。
【００２６】
また、図４のように、遊技盤固定部材８２には、環状の周壁部９４が形成されている。この周壁部９４は、台板９０から後方側に突出すると共に誘導路９２の上下左右を囲むように配置されるようになっており、後方側が開口する箱状形態をなしている。
【００２７】
遊技盤固定部材８２に取り付けられる後側ベース部材８３は、遊技盤固定部材８２に形成された環状の周壁部９４の後方側に形成された開口を閉塞するように配置される。この後側ベース部材８３は、板状の後壁部１０１と、この後壁部１０１の前面側から前方に突出する後方側誘導路９２ｂとを備えている。図１０、図１３に示すように、後方側誘導路９２ｂは、後壁部１０１に形成された孔部１０１ａ付近から前方側に延びており、上述した前方側誘導路９２ａの後方に続くように位置している。このように前方側誘導路９２ａ、後方側誘導路９２ｂが前後方向に配されることで、前方側から後方側に遊技球を誘導する誘導路９２が構成され、入賞口２０から進入した遊技球を後壁部１０１に形成された孔部１０１ａを排出口として送り出すように機能している。
【００２８】
次に、回動片２１，２２について説明する。
回動片２１，２２は、図５、図６のように台板９０の前方側に配置されており、図６（Ａ）等に示すように、遊技盤２の盤面２ａと直交する回動軸線Ａ１，Ａ２を中心として回動するように筐体８０に直接支持されている（図６（Ａ）、図９（Ｂ）等参照）。そして、入賞口２０における遊技球の受け入れ状態を所定の抑制状態（相対的に遊技球が進入し難い状態）とする抑制位置（図２、図５、図６等）と、この抑制状態のときよりも遊技球が進入し易い状態とする開放位置（図８、図９等）とに切り替わるようになっている。
【００２９】
図３、図４に示すように、一対の回動片２１，２２は、それぞれが長手状の回動片本体２１ｃ，２２ｃを備えており、それら回動片本体２１ｃ，２２ｃの長手方向一方寄りの位置に、前後方向に延びる孔部２１ａ，２２ａがそれぞれ形成されている。各回動片２１，２２は、各孔部２１ａ，２２ａに上述の軸部材２５ａ，２５ｂをそれぞれ挿入させた状態で、筐体８０に回動可能に支持され、前板８１ａと台板９０との間において両回動片２１，２２が互いに距離をあけて保持されている。なお、図３、図４等では、回動片２１，２２を保持する軸として、前側ベース部材８１とは別体に形成された軸部材２５ａ，２５ｂを例示したが、回動片２１，２２を回動可能に保持しうる構成であればよく、例えば前側ベース部材８１と一体的に軸部材が形成されていてもよい。
【００３０】
上記構成により、各回動片２１，２２は、図６（Ａ）、図９（Ｂ）のような前後方向の軸線（回動軸線Ａ１，Ａ２）を中心として回動し得るようになっている。また、図３、図４のように、これら一対の回動片２１，２２には、各回動片本体２１ｃ，２２ｃから後方に突出する軸部２１ｂ，２２ｂがそれぞれ形成されている（図１７も参照）。軸部２１ｂは、長手状の回動片本体２１ｃにおいて、回動軸線Ａ１に対し他端側（先端とは反対側）に設けられ、同様に、軸部２２ｂも、長手状の回動片本体２２ｃにおいて、回動軸線Ａ２に対し他端側（先端とは反対側）に設けられている。各回動片２１，２２は、これら軸部２１ｂ，２２ｂが後述する伝達部材３０の延出部３１，３２によって操作されることにより、それぞれ回動軸線Ａ１，Ａ２を中心として回動動作するようになっている。なお、延出部３１，３２は、「作用片」の一例に相当する。
【００３１】
回動片２１は、軸部２１ｂが回動軸線Ａ１よりも左右方向内側（回動片２２側）において回動片本体２１ｃから後方に突出しており、図１７（Ｂ）のように延出部３１の先端側に形成された先端側凹部３１ｂが軸部２１ｂを下方位置に押し下げたとき、回動片本体２１ｃの先端部を内側（回動片２２側）に移動させた位置（第１回動位置）に位置決めされる（図５（Ａ）、図６（Ａ）参照）。また、図１７（Ｄ）のように、延出部３１の先端側凹部３１ｂが軸部２１ｂを上方位置に押し上げたとき、回動片本体２１ｃの先端部を外側（回動片２２とは反対側）に移動させた位置（第２回動位置）に位置決めされる（図９参照）。また、他方の回動片２２も同様であり、軸部２２ｂが回動軸線Ａ２よりも内側（回動片２１側）において回動片本体２２ｃから後方に突出しており、図１７（Ｂ）のように、延出部３２の先端側に形成された先端側凹部３２ｂが軸部２２ｂを下方位置に押し下げたときに、回動片本体２２ｃの先端部を内側（回動片２１側）に移動させた位置（第１回動位置）に位置決めされる（図５（Ａ）、図６（Ａ）参照）。また、図１７（Ｄ）のように、先端側凹部３２ｂが軸部２２ｂを上方位置に押し上げたときには、回動片本体２２ｃの先端部を外側に（回動片２１とは反対側）に移動させた位置（第２回動位置）に位置決めされる（図９参照）。このようにして、図２、図５等に示す抑制位置と、図８、図９等に示す開放位置とに変化する。
【００３２】
次に、ソレノイド５０について説明する。
図３、図４に示すように、ソレノイド５０は、通電可能なコイルを備えたコイル部５２と、プランジャ５６と、ばね部材５９とを備えている。このソレノイド５０では、図１０に示すように、コイル部５２の内部に一部が挿入される構成（具体的にはコイル部５２内のコイルに形成された前後方向の孔内に一部が挿入される構成）で、金属材料などからなる軸状のプランジャ５６が配置されており、コイル部５２の励磁状態に応じてプランジャ５６が駆動されるようになっている。
【００３３】
このソレノイド５０は、図１０、図１３、図１７に示すように、その一部が遊技盤２の盤面２ａ（台板９０）よりも前方側において一対の回動片２１，２２の下方に位置しており、誘導路９２の下方において台板９０の前後に跨るように配置されている。具体的には、一対の回動片２１，２２の下方にコイル部５２が配置されており、このコイル部５２から後方側に向けてプランジャ５６が突出するようになっている。コイル部５２及びプランジャ５６のいずれも盤面２ａの前後に跨って配置されている。
【００３４】
コイル部５２は、内蔵されたコイルの通電、非通電が切り替えられることにより、励磁状態と非励磁状態とに切り替わるようになっており、コイル部５２が非励磁状態のときには、図１０（Ａ）のように、ばね部材５９によってプランジャ５６の先端部がコイル部５２から離間するように付勢され、このとき、プランジャ５６は図１０（Ａ）に示す所定の突出位置に維持される。この突出位置では、プランジャ５６がより後方に突出することになる。
【００３５】
一方、コイル部５２が励磁状態のときには、図１０（Ｂ）のように、プランジャ５６がコイル部５２内に引き込まれ、上記突出位置のときよりも後方への突出量が小さくなる状態（没入位置）で維持される。このように、プランジャ５６は、このコイル部５２の通電状態に応じてコイル部５２内に引き込まれた没入位置（図１０（Ｂ））とこの没入位置のときよりもコイル部５２から突出する突出位置（図１０（Ａ））との間で前後に直線的に移動するようになっている。
【００３６】
ソレノイド５０は、軸状に構成されたプランジャ５６の軸方向が遊技盤２の盤面２ａと交差する方向（具体的には直交する方向：前後方向）となるように配置されている。このプランジャ５６は、コイル部５２の通電、非通電に応じて前後方向に往復動するようになっており、没入位置よりも突出位置のほうが後方位置となるように自身の軸方向に進退するようになっている。
【００３７】
次に、伝達部材３０について説明する。
伝達部材３０は、回動片２１，２２と接触可能に構成された一対の延出部３１，３２（延出部３１，３２は「作用部」の一例に相当）を備えると共に、台板９０の後方側においてプランジャ５６の動作に応じて変位するように配され、プランジャ５６が突出位置にあるときに回動片２１，２２を抑制位置に変位させ、プランジャ５６が没入位置にあるときに回動片２１，２２を開放位置に変位させるように機能している。
【００３８】
延出部３１，３２は、それぞれが揺動部材として構成されており、回動片２１，２２の後方に配置され、ほぼ全体が筐体８０の内部に収容された構成をなし、この筐体８０に揺動可能に保持されている。延出部３１，３２は、左右方向において少なくとも遊技球の直径以上の距離をあけて配置され、いずれも前後方向を長手方向とする構成で長手状に延びている。また、各延出部３１，３２の後端部付近を互いに連結する形態で、係合部３３（係合部３３は「連結部」の一例に相当）が配置されており、この係合部３３の連結により、延出部３１，３２及び係合部３３が一体的な揺動ユニットとして構成されている。なお、延出部３１，３２と係合部３３とは、例えば一体に成形され（例えば樹脂成形等により一体成形され）、その一体成形された全体が伝達部材３０として機能している。 
【００３９】
また、伝達部材３０には、所定の中心軸（回動軸Ｇ１）に沿って突出する一対の突起部３６ａ，３６ｂが形成されており、これら一対の突起部３６ａ，３６ｂが、筐体８０の両側部（具体的には、後側第１ベース部材８３の両側壁）に形成された軸受部９３ａ，９３ｂ（図４、図７等）に回動可能に支持されている。そして、伝達部材３０全体が所定の中心軸（回動軸Ｇ１）を中心として回動（揺動）し得るようになっている。 なお、伝達部材３０の回動軸Ｇ１は「第１回動軸」の一例に相当する。
【００４０】
このように伝達部材３０が形成されることで、各延出部３１，３２が回動軸Ｇ１を中心として一体的に揺動することとなる。各延出部３１，３２の先端部に形成された先端側凹部３１ｂ，３２ｂ（接触部）がそれぞれ回動軸Ｇ１を中心として変位し、各先端側凹部３１ｂ，３２ｂがそれぞれ、図１６（Ａ）、図１７（Ａ）に示す下方位置と、図１６（Ｄ）、図１７（Ｄ）に示す上方位置とで上下動するようになっている。各先端側凹部３１ｂ，３２ｂはそれぞれ、各回動片２１，２２と接触可能に構成されると共に、それぞれが、各軸部２１ｂ，２２ｂを上下に挟みこんでおり、各先端側凹部３１ｂ，３２ｂの上下動と連動して各軸部２１ｂ，２２ｂが上下動するようになっている。
【００４１】
このように構成される伝達部材３０は、上述のソレノイド５０の駆動力がプランジャ５６によって伝達されて揺動動作するようになっており、各先端側凹部３１ｂ，３２ｂが図１７（Ｂ）に示す下方位置となる揺動位置（第１揺動位置）において、各回動片２１，２２を第１回動位置に定め、各先端側凹部３１ｂ，３２ｂが図１７（Ｄ）に示す下方位置となる揺動位置（第２揺動位置）において、各回動片２１，２２を第２回動位置に定めるように機能している。なお、後述するが、伝達部材３０は、一対の突起部３６ａ，３６ｂ（回動軸Ｇ１）が前後方向に変位可能に筐体８０に固定（軸支）されている。
【００４２】
また、図１３及び図１５のように、伝達部材３０の回動軸Ｇ１は、誘導路９２の底部よりも上方において遊技盤２の盤面２ａと略平行となるように（より詳しくは、左右方向に沿うように）位置している。更に、一対の延出部３１，３２は、一対の回動片２１，２２の各々に対応するように誘導路９２の両側方にそれぞれ配置されており、誘導路９２の後方に配置される係合部３３によって連結される形態で、これら一対の延出部３１，３２及び係合部３３が一体的に変位するようになっている。係合部３３は、誘導路９２の下方側でプランジャ５６の駆動動作を受けるように配され、プランジャ５６が前後動することに応じて係合部３３が前後に移動し、この係合部３３の変位に応じて一対の延出部３１，３２が動作するように構成されている。
【００４３】
次に、ロック部材について説明する。
ロック部材１２０は、伝達部材３０の上方側において遊技盤２の盤面２ａと略平行であって且つ回動軸Ｇ１（第１回動軸）とも略平行となる回動軸Ｇ２を中心として所定のロック位置と解除位置との間で回動可能に構成されるものであり、図１６（Ａ）、図１７（Ａ）に示すロック位置のときには伝達部材３０と当接することで当該伝達部材３０が所定方向に回動することを規制し、図１６（Ｃ）、図１７（Ｃ）に示す解除位置のときには、伝達部材３０が所定方向に回動することを許容するロック部材１２０が設けられている。なお、ロック部材１２０の回動軸Ｇ２は、「第２回動軸」の一例に相当する。
【００４４】
このロック部材１２０は、図３、図４に示すように、揺動軸部１２０ｃと、一対の揺動片１２０ａ，１２０ｂを備えている。揺動軸部１２０ｃは、左右方向（横方向）に配置されており、この揺動軸部１２０ｃの軸方向とほぼ直交する方向に一対の揺動片１２０ａ，１２０ｂが突出している。一対の揺動片１２０ａ，１２０ｂは互いにほぼ平行に配置されており、揺動軸部１２０ｃの回動に応じて同じ向きに回動するようになっている。
【００４５】
また、ロック部材１２０には、揺動軸部１２０ｃの両端部に一対の突起部１２１ａ，１２１ｂが形成されており、これら一対の突起部１２１ａ，１２１ｂが、筐体８０の両側部（具体的には、後側第１ベース部材８３の両側壁）に形成された軸受部９５ａ，９５ｂ（図４、図７等）に回動可能に支持されている。そして、ロック部材１２０全体が所定の中心軸（回動軸Ｇ２）を中心として回動（揺動）し得るようになっている。 
【００４６】
次に、ソレノイド、作動部材、回動片の連係動作、及びロック機構について説明する。
まず、図１０（Ａ）、図１３（Ａ）、図１４（Ａ）、図１５（Ａ）、図１６（Ｂ）、図１７（Ｂ）のようにソレノイド５０のプランジャ５６が突出位置にあるときには、伝達部材３０が所定の第１位置に維持されるようになっている。この場合、図１６（Ｂ）、図１７（Ｂ）のように、伝達部材３０は各先端側凹部３１ｂ，３２ｂが下方位置となる状態で保持される。この状態では、各先端側凹部３１ｂ，３２ｂが回動片２１，２２の突起２１ｂ，２２ｂを押し下げるため、回動片２１，２２は抑制位置で保持される。このとき、両回動片本体２１ｃ，２２ｃの先端部が近接して入賞口２０が狭い状態となり、入賞口２０は、相対的に遊技球が進入しにくくなる。
【００４７】
そして、このように伝達部材３０が保持位置に維持され且つ回動片２１，２２が抑制位置にあるときに、ロック部材１２０の各揺動片１２０ａ，１２０ｂは、自重によって先端側が下方となるように位置し、各作用部３１，３２に当接する。このとき、各揺動片１２０ａ，１２０ｂが各作用部３１，３２に当接する位置が回動軸Ｇ２のほぼ直下の位置となる。
【００４８】
このような状態（図１６（Ｂ）、図１７（Ｂ）のようにプランジャ５６が突出位置にあり且つ回動片２１，２２が抑制位置にある状態）で回動片２１，２２を開放位置に変化させようとする外力が加えられた場合、回動片２１，２２が回動しようとする際に、図１６（Ａ）の矢印Ｆ１のように軸部２１ｂ，２２ｂが上方に移動しようとし、同時に、各先端側凹部３１ｂ，３２ｂが上方側に移動しようとすることになる。しかしながら、各揺動片１２０ａ，１２０ｂが各作用部３１，３２に当接する位置が回動軸Ｇ２のほぼ直下の位置であるため、各先端側凹部３１ｂ，３２ｂが上方側に移動しようとしても各揺動片１２０ａ，１２０ｂに押され続け、伝達部材３０は回動できなくなる。このように、伝達部材３０の回動がロック部材１２０によって阻止されることにより、回動片２１，２２が抑制位置に変化することが規制される（図１７（Ａ）も参照）。
【００４９】
一方、図１６（Ｂ）の状態から、図１６（Ｃ）、図１６（Ｄ）のように変化し、ソレノイド５０のプランジャ５６がコイル部５２内に引き込まれた没入位置になるときには、伝達部材３０が前方側に変位しつつ所定方向に回動することで回動片２１，２２が開放位置に変化するようになっている。
【００５０】
まず、図１６（Ｂ）、図１７（Ｂ）のように、突出位置から没入位置に変位しようとするプランジャ５６と連動して伝達部材３０が前方側に若干変位する（図１６（Ｂ）の矢印Ｆ２参照）。本実施形態では、上述の軸受部９３ａ，９３ｂが前後方向に若干長くなる長孔とされており、突出位置から没入位置に変位しようとするプランジャ５６と連動して揺動軸部１２０ｃが若干前方に移動し、回動軸Ｇ２の位置も若干前方に移動する。
【００５１】
このような伝達部材３０の移動に応じて、図１６（Ｃ）、図１７（Ｃ）のように、各作用部３１，３２の上面部に形成された凹部３５ａ，３５ｂ（図３、図４も参照）が各揺動片１２０ａ，１２０ｂの先端部を前方側に押し出し、各揺動片１２０ａ，１２０ｂの先端部を前方側且つ上方側に跳ね上げるように作用する。これにより、ロック部材１２０が解除位置（各揺動片１２０ａ，１２０ｂの先端部が回動軸Ｇ２の前側に移動するような回動位置）に切り替わる。
【００５２】
このような伝達部材３０の動作後には、図１６（Ｄ）、図１７（Ｄ）のようにプランジャ５６が没入位置に完全に移動することになり、プランジャ５６の移動と共に係合部３３も前方に移動する。そして、係合部３３の前方側への移動に応じて各延出部３１，３２の各先端側凹部３１ｂ，３２ｂが上昇し、これら各先端側凹部３１ｂ，３２ｂが回動片２１，２２の突起２１ｂ，２２ｂを押し上げ、回動片２１，２２は開放位置で保持される。このとき、両回動片本体２１ｃ，２２ｃの先端部が離間することで、入賞口２０は遊技球が相対的に進入しやすい状態（開放状態）となる（図８、図９等も参照）。
【００５３】
（第１実施形態の主な効果）
本実施形態の入賞装置１０では、筐体８０と一体的に誘導路９２が設けられており、この誘導路９２の下方側に、プランジャ５６とコイル部５２を備えたソレノイド５０が配置されている。そして、このように配置されるソレノイド５０の駆動力が伝達部材３０によって回動片２１，２２に伝達され、回動片２１，２２が駆動されるようになっている。
この構成によれば、後方側に延びる誘導路９２の下方側の領域を利用してソレノイド５０を効率良く配置することができ、装置全体の小型化を図りやすくなる。特にソレノイド５０と誘導路９２を前後に重ねずに済むため、遊技盤２の奥行き方向のコンパクト化を図る上で有利となる。また、ソレノイド５０が、誘導路９２の上ではなく誘導路９２の下に配置されているため、遊技球をより上方側の浅い位置で受けて円滑に後方側に導くことができる。これにより、進入した遊技球をより早期に検出することが可能となり、レスポンスの向上を図ることができる。また、遊技機内において遊技球を検出するための部品をそれほど下方側に嵩張らせる必要が無く、上下方向のコンパクト化も図りやすくなる。
【００５４】
また、本実施形態では、２つの回動片２１，２２が、誘導路９２の両側方に一対設けられている。そして、伝達部材３０において、それら一対の回動片２１，２２の各々に対応するように誘導路９２の両側方にそれぞれ配置される一対の延出部３１，３２（作用片）と、この一対の延出部３１，３２を連結する係合部３３（連結部）とが設けられ、一対の延出部３１，３２と係合部３３とが一体的に変位するように構成されている。更に、係合部３３は、誘導路９２の下方側でプランジャ５６の駆動動作を受けるように配され、この係合部３３の変位に応じて一対の延出部３１，３２が動作するように構成されている。
この構成では、一対の延出部３１，３２を係合部３３で連結することにより一体的に構成することができ、部品点数を効果的に削減できる。特に、一対の延出部３１，３２を誘導路９２の両側方に配置しているため、２つの回動片２１，２２を同時に変位させ得る構成を、よりコンパクトに（特に上下方向の嵩張りを抑えてコンパクトに）実現することができる。また、一対の延出部３１，３２を連結する係合部３３を、プランジャ５６からの採用を受ける被作用部として機能させることができるため、一対の延出部３１，３２をプランジャ５６と連動させ得る構成を効率的に設けることができる。
【００５５】
また、本実施形態において、伝達部材３０は、所定の回動軸Ｇ１（第１回動軸）を中心として回動し得るように保持されている。そして、伝達部材３０の回動軸Ｇ１は、誘導路９２の底部よりも上方において上下方向及び前後方向と直交する左右方向と略平行となるように位置している。
この構成では、端部側（回動片側）が上下動可能な伝達部材３０を誘導路９２と共に効率的に配置することができる。特に、回動軸Ｇ１とソレノイド５０の間に誘導路９２の底部が配置される格好となるため、上下方向の嵩張りを抑えて伝達部材３０の端部側（回動片２１，２２側）の可動域を確保し易くなる。
【００５６】
また、本実施形態において、ソレノイド５０は、プランジャ５６が軸状に構成されると共に当該プランジャ５６の軸方向が前後方向に沿うように配置されている。そして、プランジャ５６は、没入位置よりも突出位置のほうが後方位置となるように軸方向に進退する構成となっている。更に、伝達部材３０は、プランジャ５６の当接を受けて回動するように構成されている。
この構成によれば、プランジャ５６の軸方向及び移動方向を誘導路９２の延出方向と対応させることができるため、誘導路９２の下方側においてより効率的にソレノイド５０を配置することができ、特に左右方向の嵩張りを抑え易くなる。更に、プランジャ５６と別動作する中間部材（リンク等）を介さずにプランジャ５６の動作を直接的に伝達部材３０に伝達することができるため、開閉動作をより俊敏に行うことができる。また、可動するプランジャ５６や係合部３３が誘導路９２に対して、下側に隠れるように配置されるので、可動が遊技球に影響を与えることがない。
【００５７】
また、本実施形態において、ソレノイド５０は、その一部が台板９０の前面よりも前方側において回動片２１，２２の下方に配置されている。
この構成によれば、誘導路９２の下側部分だけでなく、一対の回動片の下側部分をも有効に利用してソレノイド５０を配置することができるため、ソレノイド５０を遊技盤２の厚みから後方側にはみ出ないように効率的に収めることが可能となり、遊技盤２の奥行き方向のコンパクト化を図ることができる。また、ソレノイド５０を一対の回動片２１，２２の下側部分のみに配置するのではなく、誘導路９２の下側部分に跨らせる形で配置しているため、遊技領域内にソレノイド５０の配置スペースをそれほど大きく割く必要もない。
【００５８】
また、本実施形態において、伝達部材３０は、所定の回動軸Ｇ１（第１回動軸）を中心として回動し得るように構成されると共に、この回動軸Ｇ１（第１回動軸）の位置が前後方向に変化可能となるように筐体８０に直接保持されている。また、伝達部材３０の上方において伝達部材３０の回動軸Ｇ１（第１回動軸）と略平行の回動軸Ｇ２（第２回動軸）を中心として、伝達部材３０と当接することで当該伝達部材３０が回動片２１，２２を開放位置に向けて変位させる所定方向に回動することを規制するロック位置と、伝達部材３０が所定方向に回動することを許容する解除位置との間で回動可能に構成されたロック部材１２０が設けられている。
更に、プランジャ５６が突出位置から没入位置に変位する際に、当該プランジャ５６と連動して回動軸Ｇ１（第１回動軸）が前方側に移動するように伝達部材３０が前方側に変位することにより当該伝達部材３０の押圧を受けてロック部材１２０が解除位置に切り替わり、且つ当該伝達部材３０が、前方側に変位した回動軸Ｇ１（第１回動軸）を中心として所定方向に回動することで回動片２１，２２が開放位置に変化するように構成されている。
更に、プランジャ５６が突出位置にあり且つ回動片２１，２２が抑制位置にある状態で回動片２１，２２を開放位置に変化させようとする外力が加えられた場合に、当該回動片２１，２２と連動する伝達部材３０の回動がロック部材１２０によって阻止されることにより、回動片２１，２２が抑制位置に変化することが規制されるようになっている。
この構成では、入賞抑制時（プランジャ５６が突出位置にあり且つ回動片２１，２２が抑制位置にある時）に、回動片２１，２２に対して何らかの外力が加えられ、不正に開放操作されようとした場合に、ロック部材１２０が作用して伝達部材３０の回動を規制するため、このようなときには回動片２１，２２が開放位置に変化しなくなる。従って、回動片２１，２２を不正に開放位置に変化させようとする不正開放行為を効果的に防ぐことができる。一方、正規の開放動作の際には、プランジャ５６を動作させることで回動軸Ｇ１（第１回動軸）が前方側に移動するように伝達部材３０を前方側に変位させ、この変位時の押圧によってロック部材１２０を解除位置に切り替えることができるため、回動片２１，２２を確実に開放することができる。
【００５９】
[第２実施形態]
次に、本発明の第２実施形態について説明する。
なお、本実施形態では、遊技機用可変入賞装置以外の構成は第１実施形態と同様であり、第１実施形態と同様の構成については第１実施形態と同一の符号を付し、詳細な説明は省略する。
【００６０】
本実施形態の遊技機用可変入賞装置２１０も、遊技機１の遊技盤２に固定され、遊技盤２に沿って流下する遊技球を受け入れる入賞口２２０を備えている。この入賞装置２１０も、いわゆる電動チューリップとして構成されており、図１８〜図２０のように、主として、筐体２８０、回動片２２１，２２２、伝達部材２３０、作動部材２４０、ソレノイド２５０を備えている。
【００６１】
図１８〜図２２に示すように、本実施形態の入賞装置２１０でも、外郭をなす筐体２８０が設けられており、この筐体２８０も、前側ベース部材２８１、遊技盤固定部材２８２、後側ベース部材２８３を備えており、遊技盤固定部材２８２に設けられた板状の台板２９０が遊技盤２の盤面２ａに沿うように固定されるようになっている。また、遊技盤固定部材２８２には、台板に直接又は他部材を介して連結される形態で誘導路２９２が設けられており、入賞口２２０で受け入れた遊技球を後方に誘導するように機能している。
【００６２】
また、この入賞装置２１０でも、第１実施形態と同様の一対の回動片２２１，２２２が設けられており、筐体２８０の台板２９０の前面側において、盤面２ａと交差する回動軸線を中心として回動可能となるように支持されている。そして、これら回動片２２１，２２２は、入賞口２２０における遊技球の受け入れ状態を所定の抑制状態とする抑制位置（図１８、図２１（Ａ））と、抑制状態のときよりも遊技球が進入し易い状態とする開放位置（図２１（Ｂ）、図２２（Ａ））とで変位可能となっている。
【００６３】
ソレノイド２５０は、「駆動源」の一例に相当するものであり、誘導路２９２の下方側に設けられている。このソレノイド２５０は、盤面２ａと平行な方向であって且つ上下方向（第１方向）と直交する横方向（第２方向）に沿って往復動するプランジャ２５６（駆動部）と、通電可能に構成されたコイル部２５２と、ばね部材２５９とを備えている。このソレノイド２５０の動作は、第１実施形態で用いられるソレノイド５０と同様であり、このコイル部２５２の通電状態に応じて、プランジャ２５６を、コイル部２５２内に引き込まれた没入位置と、この没入位置のときよりもコイル部２５２から突出する突出位置との間で直線的に移動させるように機能している。また、ソレノイド２５０は、プランジャ２５６（駆動部）が軸状に構成され且つ当該プランジャ２５６の軸方向が遊技盤２の盤面２ａに沿った方向と略平行であって且つ横方向となるように配置されている。
【００６４】
作動部材２４０は、ソレノイド２５０のプランジャ２５６（駆動部）と別体として設けられると共にプランジャ２５６（駆動部）と共に横方向（第２方向）に沿って往復動し、且つ伝達部材２３０を連動させるように作用するものである。
【００６５】
伝達部材２３０は、遊技盤２の盤面２ａと平行な所定の第１方向（上下方向）に沿って往復動するように筐体２８０内で保持されており、本実施形態でも、伝達部材２３０及び作動部材２４０が、台板２９０とソレノイド２５０との間で動作するように配置されている。この伝達部材２３０は、回動片２２１，２２２と接触可能に構成された作用部（延出部２３１，２３２の先端側凹部２３１ｂ、２３２ｂ）を備えると共に、台板２９０の後方側において作動部材２４０を介してプランジャ２５６の動作に応じて変位するように配されている。そして、プランジャ２５６が突出位置にあるときに回動片２２１，２２２を抑制位置に変位させ、プランジャ２５６が没入位置にあるときに回動片２２１，２２２を開放位置に変位させるように機能している。
【００６６】
また、本実施形態においても、作動部材２４０に溝部２４３ａ，２４３ｂが形成されており、伝達部材２３０には、溝部２４３ａ，２４３ｂに嵌り込む凸部２３３ａ，２３３ｂが形成されており、図２５（Ａ）、図２６（Ｂ）の状態から図２５（Ｂ）、図２７（Ｂ）の状態に変化するように作動部材２３０が横方向（第２方向）に移動することに応じて、凸部２３３ａ，２３３ｂが溝部２４３ａ，２４３ｂ内で相対移動するように案内され、この相対移動に応じて伝達部材２３０が上下方向（第１方向）に移動するようになっている。
【００６７】
また、各溝部２４３ａ，２４３ｂにはそれぞれ、所定方向のロック溝２４４ａ，２４４ｂと、これらロック溝２４４ａ，２４４ｂと傾斜する方向の作用溝２４５ａ，２４５ｂとが形成されており、図２４、図２５（Ａ）、図２６（Ｂ）のように、プランジャ２５６が突出位置に保持されることで作動部材２４０が保持位置に維持され、回動片２２１、２２２が抑制位置にあるときには、凸部２３３ａ，２３３ｂがロック溝２４４ａ，２４４ｂに嵌合するようになっている。このとき、図２３、図２４、図２５（Ａ）、図２６（Ａ）、図２８（Ａ）、図２９（Ａ）のように、作動部材２３０は下降位置で維持される。
【００６８】
また、ロック溝２４４ａ，２４４ｂは左右方向（第２方向、即ち横方向）に沿って延びており、ロック溝２４４ａ，２４４ｂの上面は、左右方向（第２方向、即ち横方向）に対して傾斜している。また、作用溝２４５ａ，２４５ｂは、左右方向（第２方向）に対して傾斜した方向に沿って延びており、ロック溝２４４ａ，２４４ｂの上面の傾斜の向きが、作用溝２４５ａ，２４５ｂの傾斜の向きとは逆向きとされている。そして、図２４、図２５（Ａ）、図２６（Ｂ）のように、凸部２３３ａ，２３３ｂがロック溝２４４ａ，２４４ｂ内に嵌り込んだ状態で回動片２２１，２２２を開放位置に変位させようとする外力が加えられた場合、回動片２２１，２２２と連動する伝達部材２３０の移動動作に応じて凸部２３３ａ，２３３ｂがロック溝２４４ａ，２４４ｂの上面と当接することで、回動片２２１，２２２の回動が阻止されるようになっている。特に、ロック溝２４４ａ，２４４ｂの上面は、作用溝２４５ａ，２４５ｂ側が低くそれとは反対側が高くなるように傾斜しているため、回動片２２１，２２２に強い力が加えられたとしても凸部２３３ａ，２３３ｂが作用溝２４５ａ，２４５ｂ側に相対移動し難くなる。具体的には、凸部２３３ａ，２３３ｂは作用溝２４５ａ，２４５ｂ側とは反対側に相対移動するように動作し、ロック溝２４４ａ，２４４ｂ内の作用溝２４５ａ，２４５ｂとは反対側の端部に当接することになる。従って、凸部２３３ａ，２３３ｂの相対移動と共に伝達部材２３０の移動が確実に規制され、回動片２２１，２２２の回動が確実に阻止されることになる。
【００６９】
また、ソレノイド２５０の通電に応じてプランジャ２５６が没入位置に変化し、作動部材２３０が第２方向に移動する際には、凸部２３３ａ，２３３ｂが作用溝２４５ａ，２４５ｂ内で相対移動することに応じて伝達部材２３０が上下方向（第１方向）に移動するようになっている（図２５（Ｂ）、図２７（Ａ）、図２８（Ｂ）、図２９（Ｂ）参照）。
【００７０】
また、第２実施形態の構成でも、伝達部材２３０には、作動部材２４０と係合して当該作動部材２４０の作用を受ける係合部２３３と、係合部２３３から第１方向に沿って延出する延出部２３１，２３２とが形成されており、筐体内には、延出部２３１，２３２の左右両側に配置されると共に当該延出部２３１，２３２の第１方向の移動をガイドするガイド部（誘導路２９２の側壁２９２ａ，２９２ｂ、及び各延出部２３１，２３２を挟んで側壁２９２ａ，２９２ｂとは反対側に配された壁部）が設けられている。
【００７１】
延出部２３１，２３２は、一対の作用片に相当しており、一対の回動片２２１，２２２の各々に対応するように誘導路２９２の両側方にそれぞれ配置されている。また、係合部２３３は、連結部の一例に相当しており、これら延出部２３１，２３２（一対の作用片）を連結すると共に、誘導路２９の下方側でプランジャ２５６の駆動動作を受けるように配され、この係合部２３３（連結部）の変位に応じて延出部２３１，２３２（一対の作用片）が動作するようになっている。
【００７２】
また、延出部２３１，２３２は、係合部２３３から第１方向に沿って延びる基端部２３１ａ，２３２ａと、基端部２３１ａ，２３２ｂよりも先端側に配置され且つ後方側に凹となる先端側凹部２３１ｂ，２３２ｂとを備え、先端側凹部２３１ｂ，２３２ｂが回動片２２１，２２２に作用する構成をなしている。更に、延出部２３１，２３２は、前方側が筐体２８０の台板２９０の後面側によってガイドされるようになっている。また、基端部２３１ａ，２３２ｂの後方側が作動部材２４０の前面側によってガイドされるようになっており、更に、図２７、図２８に示すように、先端側凹部２３１ｂ，２３２ｂの後方側に配置されると共に当該先端側凹部２３１ｂ，２３２ｂの後方側への移動を規制する後方ガイド部２９５が設けられている。
【００７３】
（第２実施形態の主な効果）
第１実施形態と同様に、第２実施形態の入賞装置２１０でも、筐体２８０と一体的に誘導路２９２が設けられており、この誘導路２９２の下方側に、プランジャ２５６とコイル部２５２を備えたソレノイド２５０が配置されている。そして、このように配置されるソレノイド２５０の駆動力が伝達部材２３０によって回動片２２１，２２２に伝達され、回動片２２１，２２２が駆動されるようになっている。
この構成によれば、後方側に延びる誘導路２９２の下方側の領域を利用してソレノイド２５０を効率良く配置することができ、装置全体の小型化を図りやすくなる。特にソレノイド２５０と誘導路２９２を前後に重ねずに済むため、遊技盤２の奥行き方向のコンパクト化を図る上で有利となる。また、ソレノイド２５０が、誘導路２９２の上ではなく誘導路２９２の下に配置されているため、遊技球をより上方側の浅い位置で受けて円滑に後方側に導くことができる。これにより、進入した遊技球をより早期に検出することが可能となり、レスポンスの向上を図ることができる。また、遊技機内において遊技球を検出するための部品をそれほど下方側に嵩張らせる必要が無く、上下方向のコンパクト化も図りやすくなる。
【符号の説明】
【００７４】
１…遊技機
２…遊技盤
２ａ…盤面
１０，２１０…遊技機用可変入賞装置
２０，２２０…入賞口
２１，２２，２２１，２２２…回動片
３０，２３０…伝達部材
３１，３２，２３１，２３２…延出部（作用片）
３３，２３３…係合部（連結部）
５０，２５０…ソレノイド
５２，２５２…コイル部
５６，２５６…プランジャ
８０，２８０…筐体
９０，２９０…台板
９２，２９２…誘導路
１２０…ロック部材
Ａ１，Ａ２…回動軸線
Ｇ１…伝達部材の回動軸（第１回動軸）
Ｇ２…ロック部材の回動軸（第２回動軸）
【図１】
0005737712.tif 000002
【図２】
0005737712.tif 000003
【図３】
0005737712.tif 000004
【図４】
0005737712.tif 000005
【図５】
0005737712.tif 000006
【図６】
0005737712.tif 000007
【図７】
0005737712.tif 000008
【図８】
0005737712.tif 000009
【図９】
0005737712.tif 000010
【図１０】
0005737712.tif 000011
【図１１】
0005737712.tif 000012
【図１２】
0005737712.tif 000013
【図１３】
0005737712.tif 000014
【図１４】
0005737712.tif 000015
【図１５】
0005737712.tif 000016
【図１６】
0005737712.tif 000017
【図１７】
0005737712.tif 000018
【図１８】
0005737712.tif 000019
【図１９】
0005737712.tif 000020
【図２０】
0005737712.tif 000021
【図２１】
0005737712.tif 000022
【図２２】
0005737712.tif 000023
【図２３】
0005737712.tif 000024
【図２４】
0005737712.tif 000025
【図２５】
0005737712.tif 000026
【図２６】
0005737712.tif 000027
【図２７】
0005737712.tif 000028
【図２８】
0005737712.tif 000029
【図２９】
0005737712.tif 000030